(57)【要約】【課題】記録メディアが一杯のときにスムースに不要ファイルの削除ができる使い勝手の良い撮影装置等を提供する。【解決手段】被写体の画像を新たに撮影する撮影モードで撮影して得た前記被写体の画像データを記録メディアに保存する撮影制御プログラムにおいて、撮影モードによる撮影で生じる画像データの保存のための記録メディアの空き容量が不足するか否かを判定するステップＳ２と、空き容量が不足する場合には該撮影前にその旨を外部に報知するステップＳ４と、空き容量が不足する場合には自動的に削除モードに移行して（ステップＳ３）記録メディア内の不要ファイル削除の操作入力を待機するステップＳ６と、操作入力が行われ（ステップＳ８）記録ファイルの空き容量不足が解消したとき（ステップＳ１０）撮影モードに自動的に移行するステップＳ１１とを備える。【選択図】図２
2008245073.tif 000002
【特許請求の範囲】
【請求項１】
被写体の画像を新たに撮影する撮影モードで撮影して得た前記被写体の画像データを記録メディアに保存する撮影制御方法において、前記撮影モードによる撮影で生じる画像データの保存のための前記記録メディアの空き容量が不足するか否かを判定し、不足する場合には該撮影前にその旨を外部に報知すると共に自動的に削除モードに移行して前記記録メディア内の不要ファイル削除の操作入力を待機し、該操作入力が行われ前記記録ファイルの空き容量不足が解消したとき前記撮影モードに自動的に移行することを特徴とする撮影制御方法。
【請求項２】
前記操作入力が行われ、前記削除モードの終了指示の操作入力が有り、且つ前記記録ファイルの空き容量不足が解消したとき前記撮影モードに自動的に移行することを特徴とする請求項１に記載の撮影制御方法。
【請求項３】
優先的に削除する特定種類のデータファイルを予め設定しておき、前記削除モードに移行する場合には、前記特定種類のデータファイルが前記記録メディア内に存在するとき該特定種類のデータファイル優先削除モードに移行し、前記特定種類のデータファイルが前記記録メディア内に存在しないとき該記録メディア内の全種類のデータファイルを削除対象とする削除モードに移行することを特徴とする請求項１または請求項２に記載の撮影制御方法。
【請求項４】
前記特定種類のデータファイルが、
（ａ）ＲＡＷデータ＋ＪＰＥＧ画像データを記録メディアに同時記録した場合におけるＪＰＥＧ画像データのデータファイル
（ｂ）ＲＡＷデータ＋ＪＰＥＧ画像データを記録メディアに同時記録した場合におけるＲＡＷデータのデータファイル
（ｃ）前記同時記録で無いＪＰＥＧ画像データのデータファイル
（ｄ）前記同時記録で無いＲＡＷデータのデータファイル
（ｅ）音声ファイルのデータファイル
（ｆ）動画ファイルのデータファイル
（ｇ）画像データ以外のデータファイル
のいずれかであることを特徴とする請求項３に記載の撮影制御方法。
【請求項５】
撮影装置に設けられた表示パネルにエラー表示を行うことで前記外部への報知を行うことを特徴とする請求項１乃至請求項４のいずれかに記載の撮影制御方法。
【請求項６】
前記削除モードによる不要ファイルの指定を複数行い、その後に該複数の不要ファイルを一括して削除することを特徴とする請求項１乃至請求項５のいずれかに記載の撮影制御方法。
【請求項７】
被写体の画像を新たに撮影する撮影モードで撮影して得た前記被写体の画像データを記録メディアに保存する撮影制御プログラムにおいて、前記撮影モードによる撮影で生じる画像データの保存のための前記記録メディアの空き容量が不足するか否かを判定するステップと、該空き容量が不足する場合には該撮影前にその旨を外部に報知するステップと、前記空き容量が不足する場合には自動的に削除モードに移行して前記記録メディア内の不要ファイル削除の操作入力を待機するステップと、該操作入力が行われ前記記録ファイルの空き容量不足が解消したとき前記撮影モードに自動的に移行するステップとを備えることを特徴とする撮影制御プログラム。
【請求項８】
前記操作入力が行われ、前記削除モードの終了指示の操作入力が有り、且つ前記記録ファイルの空き容量不足が解消したとき前記撮影モードに自動的に移行することを特徴とする請求項７に記載の撮影制御プログラム。
【請求項９】
優先的に削除する特定種類のデータファイルを予め設定しておくステップと、前記削除モードに移行する場合には、前記特定種類のデータファイルが前記記録メディア内に存在するとき該特定種類のデータファイル優先削除モードに移行するステップと、前記特定種類のデータファイルが前記記録メディア内に存在しないとき該記録メディア内の全種類のデータファイルを削除対象とする削除モードに移行するステップとを備えることを特徴とする請求項７または請求項８に記載の撮影制御プログラム。
【請求項１０】
前記特定種類のデータファイルが、
（ａ）ＲＡＷデータ＋ＪＰＥＧ画像データを記録メディアに同時記録した場合におけるＪＰＥＧ画像データのデータファイル
（ｂ）ＲＡＷデータ＋ＪＰＥＧ画像データを記録メディアに同時記録した場合におけるＲＡＷデータのデータファイル
（ｃ）前記同時記録で無いＪＰＥＧ画像データのデータファイル
（ｄ）前記同時記録で無いＲＡＷデータのデータファイル
（ｅ）音声ファイルのデータファイル
（ｆ）動画ファイルのデータファイル
（ｇ）画像データ以外のデータファイル
のいずれかであることを特徴とする請求項９に記載の撮影制御プログラム。
【請求項１１】
撮影装置に設けられた表示パネルにエラー表示を行うことで前記外部への報知を行うことを特徴とする請求項７乃至請求項１０のいずれかに記載の撮影制御プログラム。
【請求項１２】
前記削除モードによる不要ファイルの指定を複数行い、その後に該複数の不要ファイルを一括して削除することを特徴とする請求項７乃至請求項１１のいずれかに記載の撮影制御プログラム。
【請求項１３】
被写体の画像データを撮像する固体撮像素子と、画像データを記録する記憶メディアが接続されるメディア制御部と、表示パネルと、操作入力用のキー入力手段と、請求項７乃至請求項１２のいずれかに記載の撮影制御プログラムを格納したメモリと、該撮影制御プログラムを実行する制御手段とを備えることを特徴とする撮影装置。
【請求項１４】
被写体の画像を新たに撮影する撮影モードで撮影して得た前記被写体の画像データを記録メディアに保存する撮影制御装置において、前記撮影モードによる撮影で生じる画像データの保存のための前記記録メディアの空き容量が不足するか否かを判定する手段と、該空き容量が不足する場合には該撮影前にその旨を外部に報知する手段と、前記空き容量が不足する場合には自動的に削除モードに移行して前記記録メディア内の不要ファイル削除の操作入力を待機する手段と、該操作入力が行われ前記記録ファイルの空き容量不足が解消したとき前記撮影モードに自動的に移行する手段とを備えることを特徴とする撮影制御装置。
【請求項１５】
前記操作入力が行われ、前記削除モードの終了指示の操作入力が有り、且つ前記記録ファイルの空き容量不足が解消したとき前記撮影モードに自動的に移行することを特徴とする請求項１４に記載の撮影制御装置。
【請求項１６】
優先的に削除する特定種類のデータファイルを予め設定しておく手段と、前記削除モードに移行する場合には、前記特定種類のデータファイルが前記記録メディア内に存在するとき該特定種類のデータファイル優先削除モードに移行する手段と、前記特定種類のデータファイルが前記記録メディア内に存在しないとき該記録メディア内の全種類のデータファイルを削除対象とする削除モードに移行する手段とを備えることを特徴とする請求項１４または請求項１５に記載の撮影制御装置。
【請求項１７】
前記特定種類のデータファイルが、
（ａ）ＲＡＷデータ＋ＪＰＥＧ画像データを記録メディアに同時記録した場合におけるＪＰＥＧ画像データのデータファイル
（ｂ）ＲＡＷデータ＋ＪＰＥＧ画像データを記録メディアに同時記録した場合におけるＲＡＷデータのデータファイル
（ｃ）前記同時記録で無いＪＰＥＧ画像データのデータファイル
（ｄ）前記同時記録で無いＲＡＷデータのデータファイル
（ｅ）音声ファイルのデータファイル
（ｆ）動画ファイルのデータファイル
（ｇ）画像データ以外のデータファイル
のいずれかであることを特徴とする請求項１６に記載の撮影制御装置。
【請求項１８】
撮影装置に設けられた表示パネルにエラー表示を行うことで前記外部への報知を行うことを特徴とする請求項１４乃至請求項１７のいずれかに記載の撮影制御装置。
【請求項１９】
前記削除モードによる不要ファイルの指定を複数行い、その後に該複数の不要ファイルを一括して削除することを特徴とする請求項１４乃至請求項１８のいずれかに記載の撮影制御装置。
【発明の詳細な説明】
【技術分野】
【０００１】
本発明は、デジタルカメラなど撮像画像データを記録メディアに保存する撮影装置及び撮影制御方法並びに撮影制御プログラム，撮影制御装置に関する。
【背景技術】
【０００２】
撮像画像データを記録メディアに保存する撮影装置では、撮影時に記録メディアの空き容量が不足したとき、ユーザに対し、記録メディア内の不要データの削除を促すものがある。
【０００３】
例えば、特許文献１記載の従来技術では、撮影者がシャッタボタンを押下した場合、記録メディアがフル状態で撮像画像データを保存できないとき、記録メディア内の音楽ファイルを再生し、消去確認する機能を備えている。
【０００４】
【特許文献１】特開２００２―１６２９９７号公報
【発明の開示】
【発明が解決しようとする課題】
【０００５】
記録メディアが一杯で撮影ができない時に、上述した従来技術の様に、撮影するたびに音声ファイルが再生され、確認作業が必要になると、撮影をスムースに行えないという問題がある。また、記録メディアが一杯な状態で撮影を何回も行う場合には、音声ファイルの削除と撮影とを交互に行うことになり、シャッタチャンスを逃す虞が高くなる。
【０００６】
本発明の目的は、記録メディアが一杯のときにスムースに不要ファイルの削除ができる使い勝手の良い撮影装置及び撮影制御方法並びに撮影制御プログラム、撮影制御装置を提供することにある。
【課題を解決するための手段】
【０００７】
本発明の撮影制御方法及び装置並びに制御プログラムは、被写体の画像を新たに撮影する撮影モードで撮影して得た前記被写体の画像データを記録メディアに保存する撮影制御において、前記撮影モードによる撮影で生じる画像データの保存のための前記記録メディアの空き容量が不足するか否かを判定し、不足する場合には該撮影前にその旨を外部に報知すると共に自動的に削除モードに移行して前記記録メディア内の不要ファイル削除の操作入力を待機し、該操作入力が行われ前記記録ファイルの空き容量不足が解消したとき前記撮影モードに自動的に移行することを特徴とする。
【０００８】
本発明の撮影制御方法及び装置並びに制御プログラムは、前記操作入力が行われ、前記削除モードの終了指示の操作入力が有り、且つ前記記録ファイルの空き容量不足が解消したとき前記撮影モードに自動的に移行することを特徴とする。
【０００９】
本発明の撮影制御方法及び装置並びに制御プログラムは、優先的に削除する特定種類のデータファイルを予め設定しておき、前記削除モードに移行する場合には、前記特定種類のデータファイルが前記記録メディア内に存在するとき該特定種類のデータファイル優先削除モードに移行し、前記特定種類のデータファイルが前記記録メディア内に存在しないとき該記録メディア内の全種類のデータファイルを削除対象とする削除モードに移行することを特徴とする。
【００１０】
本発明の撮影制御方法及び装置並びに制御プログラムは、前記特定種類のデータファイルが、
（ａ）ＲＡＷデータ＋ＪＰＥＧ画像データを記録メディアに同時記録した場合におけるＪＰＥＧ画像データのデータファイル
（ｂ）ＲＡＷデータ＋ＪＰＥＧ画像データを記録メディアに同時記録した場合におけるＲＡＷデータのデータファイル
（ｃ）前記同時記録で無いＪＰＥＧ画像データのデータファイル
（ｄ）前記同時記録で無いＲＡＷデータのデータファイル
（ｅ）音声ファイルのデータファイル
（ｆ）動画ファイルのデータファイル
（ｇ）画像データ以外のデータファイル
のいずれかであることを特徴とする。
【００１１】
本発明の撮影制御方法及び装置並びに制御プログラムは、撮影装置に設けられた表示パネルにエラー表示を行うことで前記外部への報知を行うことを特徴とする。
【００１２】
本発明の撮影制御方法及び装置並びに制御プログラムは、前記削除モードによる不要ファイルの指定を複数行い、その後に該複数の不要ファイルを一括して削除することを特徴とする。
【００１３】
本発明の撮影装置は、被写体の画像データを撮像する固体撮像素子と、画像データを記録する記憶メディアが接続されるメディア制御部と、表示パネルと、操作入力用のキー入力手段と、上記のいずれかに記載の撮影制御プログラムを格納したメモリと、該撮影制御プログラムを実行する制御手段とを備えることを特徴とする。
【発明の効果】
【００１４】
本発明によれば、記録メディアが一杯のときにスムースに不要ファイルの削除ができる使い勝手の良い撮影装置などを提供することができる。
【発明を実施するための最良の形態】
【００１５】
以下、本発明の一実施形態について、図面を参照して説明する。
【００１６】
図１は、本発明の一実施形態に係る撮影装置の機能ブロック図である。本実施形態の撮影装置１は、被写体からの光学像を電気信号に変換するＣＣＤ等の固体撮像素子１１と、固体撮像素子１１の出力信号に相関二重サンプリング処理や利得制御処理などを施すＣＤＳＡＭＰ部１２と、ＣＤＳＡＭＰ部１２から出力されるアナログの撮像画像信号をデジタル信号に変換するＡ／Ｄ変換部１３と、固体撮像素子１１の駆動タイミング信号を発生するタイミングジェネレータ１４と、撮影装置１の全体を統括制御する演算処理部（ＣＰＵ）１５とを備える。
【００１７】
ＣＰＵ１５には、ユーザからの指示入力を受け付けるキー入力部（レリーズボタンや電源オンオフボタン、ＯＫ／十字ボタン、モード切換ボタン、削除指示ボタン、キャンセルボタン等を含む）１７と、固体撮像素子１１の前面に配置された図示しない撮影レンズのズーム位置制御やフォーカス位置制御，絞り位置制御を行う各種モータのモータドライバ１８とが接続されると共に、ＣＰＵ１５は、検出部１９が検出したズーム位置，フォーカス位置，絞り位置を取り込み、各種制御を行う。また、ＣＰＵ１５は、ＣＤＳＡＭＰ部１２の制御も行う。
【００１８】
この撮影装置１は、更に、Ａ／Ｄ変換部１３から出力されたデジタル画像信号を取り込む画像入力コントローラ２１と、ＡＦ（自動焦点）検出回路２２と、画像信号処理回路２３と、ＡＥ（自動露出）およびＡＷＢ（オートホワイトバランス）検出部２４と、画像データをＪＰＥＧ画像データに圧縮する圧縮処理回路２５と、メインメモリとして使用されるＳＤＲＡＭ（Synchronous Dynamic Random Access Memory）２６と、液晶などの表示パネル２９の表示制御を行うビデオエンコーダ２７と、ＶＲＡＭ（Video Random Access Memory）２８と、着脱自在に装着される記録メディア３５の読み書き制御を行うメディアコントローラ３０と、日付データ等を保存するＳＲＡＭ（Static Random Access Memory）３１と、これら及びＣＰＵ１５を相互接続するバス３３と、ＳＲＡＭ３１の保存内容を保持するコンデンサ（キャパシタ）等のバックアップ電源３４とを備える。また、図示しない電源部を備え、この電源部から上記の各構成回路に電源が供給される。
【００１９】
斯かる撮影装置１では、電源スイッチが投入され且つ記録モード（撮影モード）になっている状態では、固体撮像素子１１から、常時（１秒間に１０フレームとか２０フレームで）、撮像画像データがスルー画像データとして出力される状態になっている。このスルー画像データは、ＣＤＳＡＭＰ部１２→Ａ／Ｄ変換回路１３→画像入力コントローラ２１→バス３３と流れ、このスルー画像データにより、ＡＦ検出回路２２が被写体までの焦点距離を計測し、ＡＥ／ＡＷＢ検出回路２４は、被写体の測光とオートホワイトバランス量の計測を行っている。
【００２０】
そして、シャッタレリーズボタンが押下されると、被写体の静止画が撮像され、固体撮像素子１１からＲ（赤）Ｇ（緑）Ｂ（青）の画素信号で構成された静止画像データが出力される。この静止画像データは、ＣＤＳＡＭＰ部１２→Ａ／Ｄ変換回路１３→画像入力コントローラ２１→バス３３と流れ、ＳＤＲＡＭ２６に一時的に保存される。
【００２１】
画像信号処理回路２３は、ＳＤＲＡＭ２６に一時的に保存された非圧縮状態の画像データ（ＲＡＷデータ）に対し、ＲＧＢ／ＹＣ変換処理やガンマ補正処理等の画像処理を施すと共に圧縮処理回路２５がこれを更にＪＰＥＧ画像データに変換する。また、ＪＰＥＧ画像データを表示パネル２９の画素数となるように間引き処理してＶＲＡＭ２８に転送し、ビデオエンコーダ２７がＶＲＡＭ２８上の画像データを表示パネル２９に表示する。また、ＪＰＥＧ画像データからサムネイル画像データが生成され、これがＲＡＷデータのイグジフ（ｅｘｉｆ）情報内に保存される。
【００２２】
記録メディア３５に保存する画像データの種類としてユーザが「ＲＡＷデータ」を選択していれば、ＲＡＷデータの画像データが記録メディア３５に記録され、ＪＰＥＧ画像データ」が選択されていれば、ＪＰＥＧ画像データが記録される。また、「ＲＡＷデータ＋ＪＰＥＧ画像データ」を選択していれば、同一シーンを撮影したＲＡＷデータとＪＰＥＧ画像データの両方が共に記録メディア３５に同時記録される。
【００２３】
この様な処理が被写体の撮像毎に繰り返され、画像データが記録メディア３５に蓄積されていくと、記録メディア３５の空き容量が少なくなってくる。この場合、ユーザは、撮影装置１を操作して不要な画像データを削除することになる。しかし、記録メディア３５の残量を撮影毎にチェックするのは面倒であるため、本実施形態の撮影装置では、次に述べる様な撮影制御プログラムを搭載している。
【００２４】
図２は、本発明の第１実施形態に係る撮影制御プログラムの処理手順を示すフローチャートである。この撮影制御プログラムは、ＣＰＵ１５内の書き換え可能ＲＯＭ等に格納されており、撮影装置１の電源オンで読み出され実行される。あるいはモード選択スイッチが撮影モードになっているときに読み出され実行される。
【００２５】
先ず、撮影モードになることを待機する（ステップＳ１）。撮影モードになった場合には、次に、記録メディアが一杯であるか否かを判定する（ステップＳ２）。ＲＡＷデータで保存する設定になっている場合には、１枚のＲＡＷデータを保存する空き容量があるか否かを判定する。「ＲＡＷ＋ＪＰＥＧ」で保存する設定になっている場合には、ＲＡＷデータとＪＰＥＧ画像データの両方を保存する空き容量があるか否かを判定する。
【００２６】
ＪＰＥＧ画像データで保存する設定になっている場合には、１枚のＪＰＥＧ画像データを保存する空き容量があるか否かを判定する。保存する画像データの容量は、画像の大きさ（例えば、６４０×４８０ピクセル，１２８０×９６０ピクセルなど）によって異なるため、これも考慮して判定する。
【００２７】
記録メディアが一杯でない場合には、この図２の処理を終了し、或いはステップＳ１に戻る。記録メディアが一杯の場合には、次にステップＳ３に進み、削除モードに自動的に移行し、ステップＳ４で表示パネル２９に、図３（ａ）に示すエラー表示を行う。エラー表示の替わりに音声で報知を行っても良く、両者を併用しても良い。
【００２８】
ユーザがこのエラー表示を見て、ＯＫボタン４４の周りに設けられたリング状の十字ボタン４５を操作すると、表示パネル２９には、記録メディア３５に保存されている画像データが、図３（ｂ）に示す様に表示される（ステップＳ５）。
【００２９】
次のステップＳ６では、ユーザが削除ボタン４２を押下するか否か即ち削除指示が入力されるか否かを判定し、削除指示が入力されない場合にはステップＳ４に戻り、次のステップＳ５で、次画像データを表示パネル２９に表示する。
【００３０】
ステップＳ６の判定の結果、削除ボタン４２が押下された場合には、次のステップＳ７で、図３（ｃ）に示す削除確認画面が表示される。そして、次のステップＳ８では、画像の削除指示の入力があるか否か即ちＯＫボタン４４が押下されたか否かを判定する。ＯＫボタン４４が押下されない場合にはステップＳ４に戻り、押下された場合には、指定された画像データを記録メディア３５から削除する（ステップＳ９）。この削除中には、図３（ｄ）に示す画面を表示パネル２９に表示する。
【００３１】
次のステップＳ１０では、現在設定されている撮影条件の下での１枚の画像データの必要容量と、ステップＳ９で画像データが削除された記録メディア３５の空き容量とが比較され、記録不可能な場合にはステップＳ４に戻って更に画像データの削除をユーザに促し、記録可能な場合には、次のステップＳ１１に進み、ユーザがモード切替ボタン４１を操作しなくても、自動的に撮影モードに遷移し、この処理を終了する（あるいは、ステップＳ１に戻る）。
【００３２】
図４は、本発明の第２実施形態に係る撮影制御プログラムの処理手順を示すフローチャートである。図２，図３で説明した実施形態では、表示パネル２９に１枚１枚の画像データを表示して削除する画像データをユーザに選択させたが、本実施形態では、図５に示す様に、１画面に複数枚、図示の例では４枚の画像データを表示し、ユーザが十字ボタン４５を操作することで表示カーソル（太枠で示す）を移動させ、削除対象の画像データを選択させる様になっている。
【００３３】
先ず、ステップＳ２１で撮影モードになることを待機し、次のステップＳ２２で、記録メディアが一杯であるか否かを判定する。記録メディアに少なくとも１枚分の画像データの空き容量がある場合には、この処理を終了し、あるいはステップＳ２１に戻る。
【００３４】
ステップＳ２２の判定の結果、記録メディアに空き容量が不足すると判断した場合には、次のステップＳ２３で図５（ａ）に示すエラー表示を行い、ステップＳ２４で、自動的に削除モードに遷移する。
【００３５】
そして、ステップＳ２５で、ＯＫ／十字ボタン４４，４５が操作されたか否かを判定する。ステップＳ２５の判定の結果、十字ボタン４５の入力がある場合には、次のステップＳ２６で、図５（ｂ）（ｃ）（ｄ）（ｅ）（ｆ）に示す４画像データのうちの一つを示す表示カーソル（太枠表示）を移動させてステップＳ２５に戻る。
【００３６】
ステップＳ２５の判定の結果、ＯＫ／十字ボタン４４，４５の入力無しの場合には、ステップＳ２７に進み、削除指示があったか否か即ち、削除ボタン４２の押下があったか否かが判定され、押下無しの場合にはステップＳ２５に戻る。削除ボタンが押下された場合には、次のステップＳ２８で、図５（ｃ）（ｆ）に示す様に、当該画像データのチェックボックスにチェック印を記入し、ステップＳ２５に戻る。
【００３７】
ステップＳ２５の判定の結果、ＯＫボタン４４が押下されている場合には、ステップＳ２９に進む。このステップＳ２９では、チェック印が１つ以上あるか否かを判定する。チェック印がある場合には、削除する画像データが存在することを意味するため、ステップＳ３０に進み、削除確認画面を図５（ｇ）に示す様に表示する。
【００３８】
そして、次のステップＳ３１で、画像の削除がＯＫであるか否かをＯＫボタン４４の押下の有無で判定する。そして、ＯＫボタン４４が押下されない場合にはステップＳ２５に戻って、次の４つの画像データの削除選択に進み、ＯＫボタン４４が押下された場合には、ステップＳ３２でチェック画像を記録メディアから削除する。この削除中は、図５（ｈ）の画面を表示する。
【００３９】
チェック画像を削除した後は、ステップＳ３３に進み、削除モードの終了指示がユーザから入力されたか否かを判定する。削除モードの終了指示が入力されない場合にはステップＳ２５に戻り、次の４枚の画像データの削除選択に戻る。
【００４０】
ステップ３３の判定の結果、削除モードの終了指示が入力された場合には、次にステップＳ３４に進み、ステップＳ２２と同様に記録メディアが一杯であるか否か即ち空き容量があるか否かが判定され、空き容量が不足する場合にはステップＳ３５でエラー表示を行った後、この処理を終了する。あるいは、ステップＳ２１に戻る。記録メディアが一杯でなく空き容量不足が解消した場合には、ステップＳ３６に進み、自動的に撮影モードに遷移し、この処理を終了する。
【００４１】
この様に、撮影モード時に記録メディアが一杯のときは削除モードに自動的に入ってユーザによる不要ファイルの削除を待ち、ユーザによる削除モードの終了指示があったとき自動的に撮影モードに遷移するため、撮影装置の使い勝手が向上する。
【００４２】
図６は、本発明の第３実施形態に係る撮影制御プログラムの処理手順を示すフローチャートであり、図７は、この実施形態における図５に対応する表示パネルの画面例を示す図である。本実施形態と、図４に示す実施形態との違いは、図４の実施形態のステップＳ２４の代わりに、ステップＳ４１，４２，４３を行う点であり、その他の構成は同じである。
【００４３】
本実施形態では、ステップＳ２３のエラー表示の次に、ステップＳ４１で、特定ファイルが記録メディアに保存されているか否かを判定する。特定ファイルが保存されていない場合には、ステップＳ４２に進んで通常削除モードに自動的に移行し、ステップＳ２５に進む。このステップＳ４２→ステップＳ２５と進んだ場合には、図４の実施形態と全く同じである。
【００４４】
ステップＳ４１の判定の結果、特定ファイルが記録メディアに保存されている場合には、ステップＳ４３に進み、特定ファイル優先削除モードに自動的に移行し、ステップＳ２５に進む。
【００４５】
本実施形態では、特定ファイルが記録メディアに保存されている場合には、特定ファイルを優先的に記録メディアから削除する様にしている点が図４の実施形態と異なる。即ち、十字ボタン４４を操作する毎に４枚づつのファイルデータが表示パネル２９に表示されるが、優先的につまり先頭に特定ファイルを表示してユーザに選択させ、特定ファイルの表示が終わった後に通常のファイルを表示する。或いは、特定のファイルだけを表示パネルに表示して削除対象とすることでも良い。
【００４６】
特定ファイルとは、予めユーザが撮影装置に設定したファイルをいう。例えば、
（１）ＲＡＷデータ＋ＪＰＥＧ画像データを記録メディアに同時記録した場合におけるＪＰＥＧ画像データを特定ファイルとする。ＲＡＷデータが残っているので、ＪＰＥＧ画像データを削除しても、ＲＡＷデータを現像することで同じＪＰＥＧ画像データを再現できる。
【００４７】
（２）ＲＡＷデータ＋ＪＰＥＧ画像データを記録メディアに同時記録した場合におけるＲＡＷデータを特定ファイルとする。ＲＡＷデータのデータ容量は大きいため、削除すると大きな空き容量が確保でき、また、同一画像がＪＰＥＧ画像データで残っているため支障が少ない。
【００４８】
（３）同時記録でなくても、ＪＰＥＧ画像データを特定ファイルとする。
（４）同時記録でなくても、ＲＡＷデータを特定ファイルとする。
（５）音声ファイルを特定ファイルとする。
（６）動画ファイルを特定ファイルとする。
（７）画像以外のファイルを特定ファイルとする。
【００４９】
どの様なファイルを特定ファイルとして優先的に削除すればよいかは、ユーザの撮影装置の使用方法，スタイルによって異なるため、ユーザが設定するのが好ましい。
【００５０】
図８は、本発明の第４実施形態に係る撮影制御プログラムの処理中に表示される画面例を示す図である。本実施形態の処理手順は、図４の実施形態と同じでよい。画像データには、ＲＡＷデータのみ、ＪＰＥＧ画像データのみ、同一シーンのＲＡＷデータ＋ＪＰＥＧ画像データとがある。図８に示す画面例では、画像データを画面に表示したとき、その種類を、「Ｒ」「Ｊ」として表示しており、「ＲＡＷデータ＋ＪＰＥＧ画像データ」の場合には「Ｒ」「Ｊ」を共にその画像に重ねて表示している。そして、「Ｒ」「Ｊ」の右脇にチェックボックスを用意し、削除対象とする画像データにチェック印を記入する様になっている。
【００５１】
この様にすることで、ユーザがきめ細かな削除指示を行うことが可能となる。
【００５２】
以上述べた実施形態によれば、ユーザが撮影装置で被写体画像を撮像するときに記録メディアが一杯で撮影が不可能になったとき、自動的にファイル削除モードに遷移してユーザが不要ファイルの削除指示を入力できる画面に移行するため、迅速に不要ファイルの削除操作が可能となり、素早く撮影操作に入ることが可能となる。
【００５３】
また、削除モードの終了をユーザ指示に委ねるため、ユーザ主体で操作ができ、使い勝手が向上する。
【００５４】
尚、上述した実施形態では、１画面内に表示された４つの画像データのいずれかにチェック印を付し、チェック印を付けた画像データを削除した後、次の４つの画像データを表示して再びチェック印を付けるという操作を繰り返す構成になっているが、記録メディア内の各画像データを表示するとき表示パネル内で各画像データをスクロール或いは画面切換することができる構成になっている場合には、記録メディア内の全画像データを先に閲覧して削除対象とする画像データの全てにチェック印を先に付した後、最後に一括してチェック画像を削除することも可能である。
【産業上の利用可能性】
【００５５】
本発明に係る撮影装置は、記録メディアが一杯の状態で撮影しようとしたとき自動的に不要ファイル削除モードに入るため、素早く不要ファイルの削除が可能となり、デジタルカメラ等の撮影装置の使い勝手が向上する。
【図面の簡単な説明】
【００５６】
【図１】本発明の一実施形態に係る撮影装置の機能ブロック図である。
【図２】本発明の第１実施形態に係る撮影制御プログラムの処理手順を示すフローチャートである。
【図３】本発明の第１実施形態に係る処理手順実行時に表示パネルに表示される画面例を示す図である。
【図４】本発明の第２実施形態に係る撮影制御プログラムの処理手順を示すフローチャートである。
【図５】本発明の第２実施形態に係る処理手順実行時に表示パネルに表示される画面例を示す図である。
【図６】本発明の第３実施形態に係る撮影制御プログラムの処理手順を示すフローチャートである。
【図７】本発明の第３実施形態に係る処理手順実行時に表示パネルに表示される画面例を示す図である。
【図８】本発明の第４実施形態に係る処理手順実行時に表示パネルに表示される画面例を示す図である。
【符号の説明】
【００５７】
１  撮影装置
１１  固体撮像素子
１５  ＣＰＵ
１７  キー入力部
２５  圧縮処理回路
２９  表示パネル
３５  記録メディア
【図１】
2008245073.tif 000003
【図２】
2008245073.tif 000004
【図３】
2008245073.tif 000005
【図４】
2008245073.tif 000006
【図５】
2008245073.tif 000007
【図６】
2008245073.tif 000008
【図７】
2008245073.tif 000009
【図８】
2008245073.tif 000010